(57)【要約】【課題】スティックのショルダー部がシンバルの打面に線当たりすることによる過大な叩打音の発生を防止して演奏感を向上させることができる電子シンバルを提供する。【解決手段】電子シンバル１００は、スタンド１１０に支持されたシンバルパッド１０１を備えている。シンバルパッド１０１は、ベース体１０２、パッド１０３および叩打センサ１０４を備えている。ベース体１０２は、貫通取付部１０２ａ、平面環状部１０２ｂおよび湾曲部１０２ｃを備えて平面視で円環状に形成されている。平面環状部１０２ｂには、叩打センサ１０４が設けられている。湾曲部１０２ｃは、スタンド１１０に支持される貫通取付部１０２ａ側に対して外縁部側がスタンド１１０の上端部側に位置するように円弧状に湾曲した傾斜面で構成されている。パッド１０３は、湾曲部１０２ｃを覆うボウ部１０３ａを有している。【選択図】  図２
2019113824.tif 000002
【特許請求の範囲】
【請求項１】
演奏者によって叩かれる打面を有するシンバルパッドと、
前記シンバルパッドの叩打を検出する叩打センサと、
棒状に延びて前記シンバルパッドを支持するスタンドとを備えた電子シンバルにおいて、
前記シンバルパッドは、
前記打面が前記スタンドで支持された側に対して前記シンバルパッドの外縁部側が前記スタンドの上端部側となるように傾斜面で構成されていることを特徴とする電子シンバル。
【請求項２】
請求項１に記載した電子シンバルにおいて、
前記シンバルパッドは、
前記傾斜面の外側に同傾斜面の外縁部に沿って外側に平面状に延びる平面外縁部を有することを特徴とする電子シンバル。
【請求項３】
請求項１または請求項２に記載した電子シンバルにおいて、
前記シンバルパッドは、
前記傾斜面の外側に同傾斜面の外縁部に沿って下方に錐面状に延びる凸状錐面外縁部を有することを特徴とする電子シンバル。
【請求項４】
請求項１ないし請求項３のうちのいずれか１つに記載した電子シンバルにおいて、
前記叩打センサは、
円弧状に延びるシート状に形成されるとともに、幅方向の中間部分に周方向に沿って延びる切欠き部が断続的に設けられていることを特徴とする電子シンバル。
【請求項５】
請求項１ないし請求項４のうちのいずれか１つに記載した電子シンバルにおいて、
前記シンバルパッドは、
前記打面が凹状の曲面に形成されていることを特徴とする電子シンバル。
【請求項６】
請求項１ないし請求項５のうちのいずれか１つに記載した電子シンバルにおいて、
前記シンバルパッドは、
前記打面における前記スタンドで支持された側の部分に凸状に突出したカップ部を有することを特徴とする電子シンバル。
【発明の詳細な説明】
【技術分野】
【０００１】
本発明は、電子回路を用いてアコースティックのシンバルを電子的に実現した電子シンバルに関する。
【背景技術】
【０００２】
従来から、電子回路を用いてアコースティックのシンバルを電子的に実現した電子シンバルは、金属または樹脂などの硬質な材料で環状に形成されたフレームの外表面をゴムなどの弾性体で構成されたパッドで覆って構成されている。例えば、下記特許文献１には、上方に向かって凸状に湾曲する硬質樹脂製の円盤状のフレームの外側をゴム製のカバーで覆った電子シンバルが開示されている。
【先行技術文献】
【特許文献】
【０００３】
【特許文献１】特開２００２−０６２８７２号公報
【０００４】
しかしながら、上記特許文献１に記載された電子シンバルにおいては、スティックで叩打する打面が上方に向かって凸状に湾曲する形状に形成されているため、アコースティックシンバルと同様に、スティックの中央部であるショルダー部で打面を線接触で当たる線当たりで叩打してしまうことがあり、電子シンバルにおいて避けなければならないスティックと打面との物理的な叩打音が過大に発生して演奏感を著しく損なうという問題があった。
【０００５】
本発明は上記問題に対処するためなされたもので、その目的は、スティックのショルダー部がシンバルの打面に線当たりすることによる過大な叩打音の発生を防止して演奏感を向上させることができる電子シンバルを提供することにある。
【発明の概要】
【０００６】
上記目的を達成するため、本発明の特徴は、演奏者によって叩かれる打面を有するシンバルパッドと、シンバルパッドの叩打を検出する叩打センサと、棒状に延びてシンバルパッドを支持するスタンドとを備えた電子シンバルにおいて、シンバルパッドは、打面がスタンドで支持された側に対してシンバルパッドの外縁部側がスタンドの上端部側となるように傾斜面で構成されていることにある。
【０００７】
このように構成した本発明の特徴によれば、電子シンバルは、打面がスタンドで支持された側に対してシンバルパッドの外縁部側がスタンドの上端部側となるように傾斜面で構成されて上方に向かって凹状に窪んだ形状に形成されているため、スティックで叩打した際にスティックのショルダー部が線当たりすることを防止することができ、この線当たりによる過大な叩打音の発生を防止して演奏感を向上させることができる。また、本発明に係る電子シンバルによれば、打面が凹状に窪んで形成されているため、打面を叩打した際にスティックが叩打点に対して周方向に滑り難くなるため、スティックワークを安定化させることもできる。
【０００８】
また、本発明の他の特徴は、前記電子シンバルにおいて、シンバルパッドは、傾斜面の外側に同傾斜面の外縁部に沿って外側に平面状に延びる平面外縁部を有することにある。
【０００９】
このように構成した本発明の他の特徴によれば、電子シンバルは、シンバルパッドが傾斜面の外側に同傾斜面の外縁部に沿って外側に平面状に延びる平面外縁部を有しているため、シンバルパッドの外縁部を叩打するエッジ演奏を行い易くすることができる。
【００１０】
また、本発明の他の特徴は、前記電子シンバルにおいて、シンバルパッドは、傾斜面の外側に同傾斜面の外縁部に沿って下方に錐面状に延びる凸状錐面外縁部を有することにある。
【００１１】
このように構成した本発明の他の特徴によれば、電子シンバルは、シンバルパッドが傾斜面の外側に同傾斜面の外縁部に沿って下方に錐面状に延びる凸状錐面外縁部を有しているため、シンバルパッドの外縁部を叩打するエッジ演奏を行い易くすることができる。この場合、電子シンバルは、シンバルパッドにおける傾斜面の外側に直接凸状錐面外縁部を形成してもよいし、シンバルパッドにおける傾斜面の外側に前記平面外縁部を介して形成することもできる。
【００１２】
また、本発明の他の特徴は、前記電子シンバルにおいて、叩打センサは、円弧状に延びるシート状に形成されるとともに、幅方向の中間部分に周方向に沿って延びる切欠き部が断続的に設けられていることにある。
【００１３】
このように構成した本発明の他の特徴によれば、電子シンバルは、叩打センサが円弧状に延びるシート状に形成されるとともに、幅方向の中間部分に周方向に沿って延びる切欠き部が断続的に設けられているため、叩打センサを設置面に貼り付ける際に曲がりまたはシワの発生を抑えて叩打センサの形状を維持した状態で設けることができる。
【００１４】
また、本発明の他の特徴は、前記電子シンバルにおいて、シンバルパッドは、打面が凹状の曲面に形成されていることにある。
【００１５】
このように構成した本発明の他の特徴によれば、電子シンバルは、シンバルパッドにおける打面がスタンド側から外縁部に掛けて凹状の曲面に形成されているため、打面をスタンド側から外縁部に掛けて湾曲しない直線状に形成した場合に比べてスティックで叩打した際における線当たりすることを防止することができ、この線当たりによる過大な叩打音の発生を防止して演奏感を向上させることができる。
【００１６】
また、本発明の他の特徴は、電子シンバルにおいて、シンバルパッドは、打面におけるスタンドで支持された側の部分に凸状に突出したカップ部を有することにある。
【００１７】
このように構成した本発明の他の特徴によれば、電子シンバルは、シンバルパッドが打面におけるスタンドで支持された側の部分に凸状に突出したカップ部を有しているため、アコースティックシンバルにおけるカップ部の演奏感を再現することができる。
【図面の簡単な説明】
【００１８】
【図１】本発明の第１実施形態に係る電子シンバルの外観構成の概略を示す斜視図である。
【図２】図１に示す電子シンバルの内部構成の概略を示す断面図である。
【図３】図２に示す電子シンバルにおけるシンバルパッド取付具の外観および内部の各構成を説明するためにシンバルパッド取付具を半分に割った状態を示す破断斜視図である。
【図４】本発明の第２実施形態に係る電子シンバルの内部構成の概略を示す断面図である。
【図５】本発明の第３実施形態に係る電子シンバルの外観構成の概略を示す斜視図である。
【図６】図５に示す電子シンバルの内部構成の概略を示す断面図である。
【図７】図６に示す破線円７内の構造を詳しく示す部分拡大断面図である。
【図８】図５に示すベース体の外観構成の概略を示す平面図である。
【発明を実施するための形態】
【００１９】
（第１実施形態）
以下、本発明に係る電子シンバルの実施形態について図面を参照しながら説明する。図１は、本発明の第１実施形態に係る電子シンバル１００の外観構成の概略を模式的に示した斜視図である。また、図２は、図１に示す電子シンバル１００の内部構成の概略を模式的に示す断面図である。この電子シンバル１００は、演奏者（図示せず）がスティックＳＴを介して叩いた打面の衝撃を検出して電子的な楽音を発生させる電子打楽器である。
【００２０】
（電子シンバル１００の構成）
電子シンバル１００は、シンバルパッド１０１を備えている。シンバルパッド１０１は、演奏者による叩く操作によって振動する部品であり、上方に向かって凹状に湾曲するとともに平面視で円形の板状体で構成されている。このシンバルパッド１０１は、主として、ベース体１０２、パッド１０３および叩打センサ１０４をそれぞれ備えている。
【００２１】
ベース体１０２は、シンバルパッド１０１を形作る芯材となる部品であり、樹脂材を上方に向かって凹状に湾曲するとともに平面視で円環状の板状体に形成して構成されている。このベース体１０２は、主として、貫通取付部１０２ａ、平面環状部１０２ｂおよび湾曲部１０２ｃをそれぞれ備えている。
【００２２】
貫通取付部１０２ａは、後述するスタンド１１０の貫通部１１１および押圧具１１４ａ，１１４ｂがそれぞれ貫通した状態で配置されるとともに、後述するシンバルパッド取付具１０６が取り付けられる部分であり、ベース体１０２の厚さ方向に延びる円筒状に形成されている。この貫通取付部１０２ａは、ベース体１０２の平面視で中心部に貫通孔として形成されている。平面環状部１０２ｂは、後述する叩打センサ１０４を支持する部分であり、貫通取付部１０２ａの外側に水平方向に延びる平板環状に形成されている。
【００２３】
湾曲部１０２ｃは、パッド１０３を支持する部分であり、平面環状部１０２ｂの外側に環状に形成されている。この湾曲部１０２ｃは、スタンド１１０に支持される貫通取付部１０２ａ側に対して外縁部側がスタンド１１０の上端部側に位置するように円弧状に湾曲した傾斜面で構成されている。すなわち、湾曲部１０２ｃは、ベース体１０２の中心部側から外縁部側に向かって上方に湾曲して形成されることにより、上方側に対して凹状に窪んだ球面状に形成されている。
【００２４】
パッド１０３は、演奏者がスティックＳＴなどを用いて叩く打面を構成する部分であり、ゴム材または発泡樹脂材などからなる弾性体をベース体１０２の上面を覆う円環状に形成して構成されている。このパッド１０３は、主として、ボウ部１０３ａおよびカップ部１０３ｃをそれぞれ備えている。
【００２５】
ボウ部１０３ａは、シンバルパッド１０１の打面の一部を構成する部分であり、ベース体１０２の湾曲部１０２ｃの上面に沿って上方側に凹状に湾曲した球面形状に形成されている。すなわち、ボウ部１０３ａは、湾曲部１０２ｃと同様に、スタンド１１０に支持されるカップ部１０３ｃ側に対して外縁部分であるエッジ部１０３ｂ側がスタンド１１０の上端部側に位置するように円弧状に湾曲した傾斜面で構成されている。これらのボウ部１０３ａおよびエッジ部１０３ｂは、アコースティックシンバルの打面を構成するボウ（ライドエリア）およびエッジ（クラッシュエリア）に相当するものである。したがって、ボウ部１０３ａは、半径が概ね５ｃｍ〜３０ｃｍの大きさで構成されている。また、ボウ部１０３ａは、内側面の全面が湾曲部１０２ｃに対して図示しない両面テープまたは接着剤によって貼り付けられている。
【００２６】
カップ部１０３ｃは、ボウ部１０３ａとともにシンバルパッド１０１の打面の他の一部を構成する部分であり、ボウ部１０３ａの内側の端部からパッド１０３の中心部に向かって凸状に隆起する球面形状に形成されている。この場合、カップ部１０３ｃの高さは、エッジ部１０３ｂの高さよりも低い高さに形成されている。このカップ部１０３ｃは、ボウ部１０３ａよりも十分に小さい形状に形成されている。例えば、カップ部１０３ｃは、ボウ部１０３ａの半径の１／３以下の大きさで形成されている。すなわち、カップ部１０３ｃは、アコースティックシンバルの打面を構成するカップに相当するものである。
【００２７】
また、カップ部１０３ｃにおける平面環状部１０２ｂに対向する内側面は、リング状に突出する突起１０３ｄが平面環状部１０２ｂに離隔した状態で形成されており、演奏者によるカップ部１０３ｃの叩打によって平面環状部１０２ｂに一時的に接触するように形成されている。なお、このカップ部１０３ｃは、内側面の全面が平面環状部１０２ｂに接触していてもよい。
【００２８】
なお、シンバルパッド１０１は、本実施形態においては、ベース体１０２およびパッド１０３の２種の材料で構成されているが、１種の材料、例えば、樹脂材料のみまたは樹脂材料を含む繊維強化プラスチックのみで構成することもできる。
【００２９】
叩打センサ１０４は、演奏者の叩打によるシンバルパッド１０１の振動を検出する検出器であり、ベース体１０２の振動に応じた電気信号からなる叩打検出信号を外部に設けられる図示しない音源に出力する。本実施形態においては、叩打センサ１０４は、圧電セラミックスの両面にそれぞれ電極を配置するとともに、これらの電極の一方に金属板を配置したピエゾ素子によって構成されている。
【００３０】
ここで、音源は、電子シンバル１００とは別体で設けられるマイクロコンピュータによって構成されており、叩打センサ１０４から出力される３つの叩打検出信号の総和信号に基づいて楽音信号を出力する電子回路である。この音源は、図示しない外部スピーカに直接またはアンプを介して接続されており、これらに対して楽音信号を出力する。
【００３１】
この叩打センサ１０４は、図２に示すように、シンバルパッド１０１の裏面を構成するベース体１０２の平面環状部１０２ｂの下面に周方向に沿って均等な間隔で３つ設けられている（１つのみ図示）。この場合、各叩打センサ１０４は、板状の弾性体を介して図示しない両面テープまたは接着剤などによってそれぞれ平面環状部１０２ｂに固着されている。なお、叩打センサ１０４は、少なくとも１つ設けられていればよく、２つ以下または４つ以上設けられていてもよいことは当然である。そして、これら３つの叩打センサ１０４は、図示しない配線を介して各叩打検出信号の総和信号を出力するためのフォーン端子１０５に接続されている。
【００３２】
フォーン端子１０５は、３つの叩打検出信号の総和信号を音源（図示せず）など外部機器に出力するための部品であり、音源に電気的に接続される信号ケーブル（図示せず）が着脱自在に接続されるジャック型のインターフェースである。このフォーン端子１０５は、下面カバー１１５内に接続部を露出した状態で設けられている。
【００３３】
シンバルパッド取付具１０６は、図３に示すように、シンバルパッド１０１をスタンド１１０に回転摺動可能かつ着脱自在な状態で取り付けるための部品であり、ゴム材または発泡樹脂材などからなる弾性体を平面視で円環状に形成して構成されている。より具体的には、シンバルパッド取付具１０６は、主として、保持部１０６ａと連結部１０６ｂとを備えて構成されている。
【００３４】
保持部１０６ａは、押圧具１１４ａ，１１４ｂによって押圧されることで押圧方向に直交する方向、すなわち、径方向に弾性変形する部分であり、平面視で円環状に形成されている。この場合、保持部１０６ａは、周方向に沿って円筒状に形成されており、内部が中空に形成されている。この保持部１０６ａは、外径が貫通取付部１０２ａよりも小径に形成されるとともに、内径がスタンド１１０における貫通部１１１よりも大径に形成されている。なお、図２においては、スタンド１１０、貫通部１１１、支持スリーブ１１２、受けフランジ部１１２ａおよび押圧具１１４ａ，１１４ｂをそれぞれ二点鎖線で示している。
【００３５】
連結部１０６ｂは、保持部１０６ａをシンバルパッド１０１の裏面側における貫通取付部１０２ａの上端部に取り付けるための部分であり、保持部１０６ａの外周部からフランジ状に張り出す平面視で円環平板状に形成されている。この場合、連結部１０６ｂは、上下方向に２つの平板リング体が対向配置されて構成されている。
【００３６】
これらの保持部１０６ａおよび連結部１０６ｂは、コンプレッション成形、トランスファー成形、インジェクション成形または押出し成形などを用いて両者が一体的に成形されてシンバルパッド取付具１０６を一体的に構成している。このシンバルパッド取付具１０６は、ボルトによってベース体１０２の貫通取付部１０２ａの上端部に固定的に取り付けられている。この場合、シンバルパッド取付具１０６は、貫通取付部１０２ａに対して保持部１０６ａが同心の位置に取り付けられる。
【００３７】
スタンド１１０は、シンバルパッド１０１を演奏者が希望する高さ位置で支持するための部品であり、床面に対して上方に延びる金属製の複数の棒状体を可動的に連結して構成されている。このスタンド１１０は、シンバルパッド１０１に連結される棒状体の上端部に貫通部１１１が形成されているとともに、電子シンバル１００の設置面側の棒状体の下端部側に図示しない三脚を備えており、電子シンバル１００の設置面上に自立するように構成されている。
【００３８】
貫通部１１１は、シンバルパッド１０１の貫通取付部１０２ａおよびシンバルパッド取付具１０６の保持部１０６ａの各内側をそれぞれ貫通してシンバルパッド取付具１０６を介してシンバルパッド１０１を支持する軸状の部分である。この貫通部１１１には、軸状体の外周部に雄ネジが形成されており、この雄ネジの外周部に支持スリーブ１１２が摺動自在な状態で嵌合しているとともにこの支持スリーブ１１２の上方の雄ネジ部分に締付ナット１１３がネジ嵌合している。なお、スタンド１１０は、シンバルパッド１０１を演奏者が演奏する位置に保持していればよく、例えば、設置面から起立する１つの棒体で構成されていてもよい。
【００３９】
支持スリーブ１１２は、シンバルパッド取付具１０６および押圧具１１４ａ，１１４ｂがそれぞれ貫通部１１１に直接接触することを防止するための部品であり、樹脂材を円筒状に形成して構成されている。支持スリーブ１１２の外周部は、シンバルパッド取付具１０６の保持部１０６ａが嵌合する大きさ（例えば、保持部１０６ａの内径と同一または同内径よりも若干大きな外径）以下の外径に形成されている。本実施形態においては、支持スリーブ１１２の外径は、保持部１０６ａの内径よりも小径に形成されている。
【００４０】
また、支持スリーブ１１２の外周部における両端部のうちの一方（図示下方）の端部は、径方向外側にフランジ状に張り出した状態で受けフランジ部１１２ａが形成されており、この受けフランジ部１１２ａによって押圧具１１４ａを図示下方から支持するように形成されている。一方、支持スリーブ１１２の内周部には、貫通部１１１に対して摺動可能な状態で嵌合するように形成されている。
【００４１】
そして、支持スリーブ１１２は、シンバルパッド取付具１０６の保持部１０６ａが嵌合する部分が保持部１０６ａの弾性変形による圧迫によって径方向内側に弾性変形するように構成されている。締付ナット１１３は、貫通部１１１に形成された雄ネジにネジ嵌合する部品であり、金属製の筒体の内周面に雌ネジが形成されて構成されているとともに、外表面が把持し易い板状に形成されている。
【００４２】
押圧具１１４ａ，１１４ｂは、シンバルパッド取付具１０６における保持部１０６ａを図示上下方向の両側から挟んで押し潰して径方向に伸長させるための部品であり、フェルト材をそれぞれ円筒状に成形して構成されている。この場合、押圧具１１４ａ，１１４ｂは、内径が支持スリーブ１１２の外径と略同一の大きさに形成されて支持スリーブ１１２の外周面に摺動自在に嵌合するとともに、外径が貫通取付部１０２ａよりも小径で支持スリーブ１１２の受けフランジ部１１２ａの外径と同じ大きさに形成されている。
【００４３】
下面カバー１１５は、ベース体１０２の下面に取り付けられて平面環状部１０２ｂおよびこの平面環状部１０２ｂに取り付けられた叩打センサ１０４をそれぞれ覆うとともにフォーン端子１０５を収納する部品であり、樹脂材を平面視で円筒状に形成して構成されている。この下面カバー１１５は、図示しない取付ボルトによってベース体１０２の下面に取り付けられている。
【００４４】
（電子シンバル１００の作動）
次に、このように構成した電子シンバル１００の作動について説明する。まず、演奏者は、電子シンバル１００をスタンド１１０に組み付ける。具体的には、演奏者は、設置面上に起立させたスタンド１１０の貫通部１１１に支持スリーブ１１２を嵌合させた後、この支持スリーブ１１２の外周面に押圧具１１４ａを嵌める。次いで、演奏者は、支持スリーブ１１２の外周面にシンバルパッド１０１の貫通取付部１０２ａをシンバルパッド取付具１０６の保持部１０６ａを介して貫通させた後、押圧具１１４ｂを嵌める。つまり、演奏者は、シンバルパッド１０１を支持スリーブ１１２上においてシンバルパッド取付具１０６の保持部１０６ａを２つの押圧具１１４ａ，１１４ｂで挟んだ状態で配置する。
【００４５】
そして、演奏者は、締付ナット１１３を貫通部１１１にネジ嵌合させて締め付ける。これにより、シンバルパッド取付具１０６は、保持部１０６ａが２つの押圧具１１４ａ，１１４ｂによって貫通部１１１の軸線方向上で挟まれて押圧されるため、保持部１０６ａの内周部が貫通部１１１側に張り出して支持スリーブ１１２を周方向に沿って圧迫して支持スリーブ１１２の内周面を貫通部１１１側に弾性変形させる。
【００４６】
この場合、演奏者は、締付ナット１１３の締付具合によって支持スリーブ１１２が貫通部１１１を圧迫する力を調節することができる。これにより、演奏者は、締付ナット１１３の締付具合によってシンバルパッド１０１がスタンド１１０に対して回転摺動する摺動抵抗の程度、または回転摺動不能な状態を選択的に設定することができる。そして、演奏者は、フォーン端子１０５と音源とを図示しない信号ケーブルを介して電気的に接続して電子シンバル１００を演奏可能な状態とする。
【００４７】
なお、シンバルパッド１０１は、シンバルパッド１０１の径方向が垂直方向に対して直交する水平な姿勢でスタンド１１０に支持されていてもよいし、シンバルパッド１０１の径方向が垂直方向に対して傾斜して演奏者側に傾斜する姿勢でスタンド１１０に支持されていてもよい。
【００４８】
次に、演奏者は、電子シンバル１００を演奏する。具体的には、演奏者は、棒状に延びるスティックＳＴを用いてシンバルパッド１０１の上面を構成するパッド１０３を叩く。この場合、シンバルパッド１０１は、ボウ部１０３ａが径方向内側から外側に向かって凹状に湾曲する傾斜面で構成されているため、スティックＳＴの中央部であるショルダー部Ｓがボウ部１０３ａに線接触で当たる線当たりで叩打することを防止することができる。
【００４９】
また、ボウ部１０３ａは、上方側に凹状に窪んで形成されているため、演奏者が叩打した際にスティックＳＴが叩打点に対して周方向（図１における破線矢印参照）に滑り難くスティックワークを安定化させることもできる。また、ボウ部１０３ａは、演奏者とは反対側の部分が演奏者に向かって傾斜することで演奏者に面しているため、ボウ部１０３ａにおける演奏者から遠い部分を叩打し易いとともに演奏者から遠いエッジ部１０３ｂを叩打する際に誤ってボウ部１０３ａを叩打することを抑制することもできる。
【００５０】
また、演奏者は、スティックＳＴでボウ部１０３ａの外側の外縁部分であるエッジ部１０３ｂまたは内側に形成されたカップ部１０３ｃを叩打した場合には、スティックＳＴの先端部の膨らんだ部分であるチップ部Ｃで叩打するため、これらのエッジ部１０３ｂおよびカップ部１０３ｃを線当たりで叩打することを防止することができる。
【００５１】
このような演奏過程において、シンバルパッド１０１は、パッド１０３におけるボウ部１０３ａおよびカップ部１０３ｃが叩打された場合には、パッド１０３に生じた振動は主としてパッド１０３に密着するベース体１０２に直接伝達されて叩打センサ１０４によって検出される。これにより、叩打センサ１０４は、パッド１０３およびベース体１０２をそれぞれ介して伝搬した振動に応じた検出信号をフォーン端子１０５を介して音源に出力する。これにより、音源は、叩打センサ１０４から入力した総和信号からなる検出信号に基づいて楽音を表す楽音信号を生成して外部スピーカに出力する。この結果、電子シンバル１００は、演奏者の演奏操作に応じた楽音を外部スピーカから出力することができる。
【００５２】
そして、演奏者は、電子シンバル１００の演奏を終える場合には、電子シンバル１００と音源との電気的な接続を外した後、電子シンバル１００をスタンド１１０から取り外す。これにより、演奏者は、電子シンバル１００の演奏を終了することができる。
【００５３】
上記作動説明からも理解できるように、上記第１実施形態によれば、電子シンバル１００は、パッド１０３がスタンド１１０で支持されたカップ部１０３ｃ側に対してシンバルパッド１０１の外縁部側であるエッジ部１０３ｂ側がスタンド１１０の上端部側となるように傾斜面で構成されて上方に向かって凹状に窪んだ形状に形成されているため、スティックＳＴで叩打した際にスティックＳＴのショルダーＳ部が線当たりすることを防止することができ、この線当たりによる過大な叩打音の発生を防止して演奏感を向上させることができる。また、本発明に係る電子シンバル１００によれば、パッド１０３が凹状に窪んで形成されているため、パッド１０３を叩打した際にスティックＳＴが叩打点の外側に滑り難くなるため、スティックワークを安定化させることもできる。
【００５４】
（第２実施形態）
次に、本発明に係る電子シンバルの第２実施形態について図４を用いて説明する。この第２実施形態の説明においては、主として、上記第１実施形態と異なる部分について説明し、共通する部分については共通の符号を付してそれらの説明は適宜省略する。この第２実施形態に係る電子シンバル２００は、上記第１実施形態に係る電子シンバル１００に対してシンバルパッド１０１の外縁部の形状が異なるシンバルパッド１２０を有している点において相違している。
【００５５】
具体的には、シンバルパッド１２０は、図４に示すように、傾斜面からなるボウ部１０３ａの外側に同傾斜面の外縁部に沿って外側に平面状に延びる平面外縁部１２１を備えて構成されている。この場合、平面外縁部１２１は、ベース体１２２の外縁部分に形成された平面支持部１２３をパッド１２４のエッジ部１２４ａが巻き込むように覆うことで形成されている。また、平面外縁部１２１は、径方向の幅がボウ部１０３ａの径方向の幅よりも十分に小さく形成される。平面支持部１２３は、ベース体１２２の外縁部分がスタンド１１０の貫通部１１１の軸線方向に対して直交する平面内で延びた平板円環状に形成されている。
【００５６】
このように構成された電子シンバル２００によれば、シンバルパッド１２０がボウ部１０３ａの外側に同ボウ部１０３ａの外縁部に沿って外側に平面状に延びる平面外縁部１２１を有しているため、シンバルパッド１０１の外縁部を叩打するエッジ演奏を行い易くすることができる。すなわち、平面外縁部１２１は、エッジ部１０３ｂの構成の一態様である。なお、図４においては、スタンド１１０、貫通部１１１、支持スリーブ１１２、受けフランジ部１１２ａおよび押圧具１１４ａ，１１４ｂをそれぞれ二点鎖線で示している。
【００５７】
（第３実施形態）
次に、本発明に係る電子シンバルの第３実施形態について図５〜図８を用いて説明する。この第３実施形態の説明においては、主として、上記第１実施形態と異なる部分について説明し、共通する部分については適宜省略する。この第３実施形態に係る電子シンバル３００は、上記第１実施形態に係る電子シンバル１００に対してシンバルパッド１０１の外縁部の形状が異なるシンバルパッド１３０を有している点において相違している。
【００５８】
具体的には、シンバルパッド１３０は、例えば、図６および図７にそれぞれ示すように、傾斜面からなるボウ部１０３ａの外側に同傾斜面の外縁部に沿って下方に錐面状に延びる凸状錐面外縁部１３１を備えて構成することができる。すなわち、凸状錐面外縁部１３１は、スタンド１１０の貫通部１１１の軸線方向に対して直交する平面に対して貫通部１１１の上端部とは反対側（図示下方）に延びる環状の円錐面に形成されている。この場合、凸状錐面外縁部１３１は、ベース体１３２の外縁部分に形成された錐面支持部１３３をパッド１３４のエッジ部１３４ａが巻き込むように覆うことで形成されている。
【００５９】
また、凸状錐面外縁部１３１は、径方向の幅がボウ部１０３ａの径方向の幅よりも十分に小さく形成される。錐面支持部１３３は、ベース体１３２の外縁部分が径方向に沿って直線状または曲線状に湾曲した円環状に形成されているとともに、エッジ部１３４ａに対向する面状に叩打センサ１３５が設けられている。なお、図６においては、スタンド１１０、貫通部１１１、支持スリーブ１１２、受けフランジ部１１２ａおよび押圧具１１４ａ，１１４ｂをそれぞれ二点鎖線で示している。
【００６０】
叩打センサ１３５は、図８に示すように、演奏者による凸状錐面外縁部１３１の叩打を検出して叩打検出信号をフォーン端子１０５に出力する検出器であり、錐面支持部１３３に沿って略Ｃ字状に延びるシート状に形成されている。この場合、叩打センサ１３５は、幅方向の中間部に周方向に沿って長孔状の貫通孔からなる切欠き部１３５ａが断続的に形成されている。換言すれば、叩打センサ１３５は、シンバルパッド１３０の径方向において二重に設けられている。この叩打センサ１３５は、ピエゾフィルム単体で、または絶縁性の樹脂製フィルムにピエゾフィルムを貼り付けて構成することができる。
【００６１】
これにより、電子シンバル３００を組み立てる作業者は、叩打センサ１３５をベース体１３２上における設置面に貼り付ける際に曲がりまたはシワの発生を抑えて叩打センサ１３５の円環形状を維持した状態で設けることができる。
【００６２】
この叩打センサ１３５に対向するパッド１３４のエッジ部１３４ａの内側面には、２つの押圧突起１３６ａ，１３６ｂおよび中間突起１３７がそれぞれ形成されている。押圧突起１３６ａ，１３６ｂは、叩打センサ１３５における切欠き部１３５ａよりも内側部分および外側部分をそれぞれ押圧するための部分であり、エッジ部１３４ａの周方向に沿って円環状でかつ断面形状が台形状で錐面支持部１３３に向けて突出してそれぞれ形成されている。
【００６３】
中間突起１３７は、演奏時における凸状錐面外縁部１３１の叩打時において、押圧突起１３６ａおよび押圧突起１３６ｂのうちの一方が叩打センサ１３５を押圧する際に他方が叩打センサ１３５を押圧しないようにするための部分であり、押圧突起１３６ａと押圧突起１３６ｂとの間の位置にエッジ部１３４ａの周方向に沿って円環状でかつ断面形状が半円形状で錐面支持部１３３に向けて突出して形成されている。
【００６４】
また、パッド１３４におけるボウ部１０３ａとエッジ部１３４ａとの境界部分に形成される屈曲部１３８は、ベース体１３２における錐面支持部１３３の上方、すなわち、ベース体１３２における湾曲部１０２ｃと錐面支持部１３３との境界部分の屈曲部１３９よりも外側に形成されている。これにより、電子シンバル３００は、演奏者が屈曲部１３８を叩打した際に押圧突起１３６ａが確実に叩打センサ１３５を押圧することができる。また、電子シンバル３００は、この屈曲部１３８を打面の一部として構成することができ、演奏者に対してボウ部１０３ａ、カップ部１０３ｃまたは凸状錐面外縁部１３１とは異なった叩打感を与える打面を構成することができる。なお、屈曲部１３８は、屈曲部１３８の真上の屈曲部１３９と重なる位置に形成してもよいし、屈曲部１３９よりも内側に形成されていてもよい。
【００６５】
また、ベース体１３２の平面環状部１０２ｂ上には、叩打センサ１４０が設けられている。叩打センサ１４０は、演奏者によるカップ部１０３ｃの叩打を検出する円環状のピエゾフィルムからなるシート体で構成されており、フォーン端子１０５に電気的に接続されている。この場合、フォーン端子１０５に接続される音源は、叩打センサ１３５および叩打センサ１４０がそれぞれ検出する叩打の強さおよび比率に応じてシンバルパッド１３０が叩打されたボウ部１０３ａ、カップ部１０３ｃおよび凸状錐面外縁部１３１を見分けて各叩打位置に応じた楽音を発音させる。
【００６６】
このように構成された電子シンバル３００によれば、シンバルパッド１３０がボウ部１０３ａの外側に同ボウ部１０３ａの外縁部に沿って下方に錐面状に延びる凸状錐面外縁部１３１を有しているため、シンバルパッド１３０の外縁部を叩打するエッジ演奏を行い易くすることができる。この場合、電子シンバル３００は、エッジ部１３４ａに中間突起１３７が形成されているため、凸状錐面外縁部１３１が叩打された際に押圧突起１３６ａ，１３６ｂの両方が同時に叩打センサ１３５を押圧することを防止することができ、過大な叩打検出信号を出力することを防止することができる。
【００６７】
なお、電子シンバル３００は、シンバルパッド１３０におけるボウ部１０３ａの外側に直接凸状錐面外縁部１３１を形成したが、シンバルパッド１３０におけるボウ部１０３ａの外側に前記平面外縁部１２１を介して凸状錐面外縁部１３１を間接的に形成することもできる。
【００６８】
また、叩打センサ１３５は、シンバルパッド１３０の径方向において二重のピエゾフィルムを電気的に一体で構成したが、シンバルパッド１３０の径方向において１つの環状で（つまり、一重）で構成してもよい。また、叩打センサ１３５は、ピエゾフィルムを径方向に三重以上設けて、これらのピエゾフィルムを電気的に一体または別体で構成することもできる。また、叩打センサ１３５をシンバルパッド１３０の径方向において二重以上のピエゾフィルムを電気的に別体で構成した場合には、凸状錐面外縁部１３１の叩打位置によって発生させる楽音の種類、音程または音量を変えることができる。
【００６９】
なお、このような叩打センサ１３５は、上記第１実施形態におけるエッジ部１０３ｂまたは上記第２実施形態における平面外縁部１２１に設けてもよいことは当然である。さらに、叩打センサ１３５は、従来の電子シンバル、すなわち、上方に向かって凸状に湾曲する球面状のシンバルパッドに適用することもできる。また、叩打センサ１０４，１３５，１４０は、シンバルパッド１０１の叩打を感知することができる検出器で構成されていればよく、ピエゾ素子またはピエゾフィルム以外の検出器、例えば、感圧型シートセンサまたはシートスイッチなどで構成することもできる。
【００７０】
さらに、本発明の実施にあたっては、上記各実施形態に限定されるものではなく、本発明の目的を逸脱しない限りにおいて種々の変更が可能である。
【００７１】
例えば、上記第１実施形態においては、シンバルパッド１０１は、ボウ部１０３ａとカップ部１０３ｃとで構成した。しかし、シンバルパッド１０１は、少なくともボウ部１０３ａを有して構成されていればよく、カップ部１０３ｃを省略してボウ部１０３ａのみで構成することもできる。
【００７２】
下記の各変形例は、上記第１実施形態に対する変形例として説明するが、上記第２実施形態および第３実施形態においても同様に適用できるものである。
【００７３】
例えば、上記第１実施形態においては、シンバルパッド１０１は、ボウ部１０３ａがスタンド１１０側から外縁部分であるエッジ部１０３ｂに掛けて凹状の曲面に形成されている。これにより、シンバルパッド１０１は、ボウ部１０３ａがスタンド１１０側からエッジ部１０３ｂに掛けて湾曲しない直線状に形成した場合に比べてスティックＳＴで叩打した際における線当たりすることを防止することができ、過大な叩打音の発生を防止して演奏感を向上させることができる。しかし、シンバルパッド１０１は、ボウ部１０３ａがスタンド１１０側からエッジ部１０３ｂに掛けて湾曲しない直線状に形成してもよいし、曲線部分と直線部分とをそれぞれ有して構成することもできる。
【００７４】
また、上記第１実施形態においては、シンバルパッド１０１は、平面視で円形に形成した。しかし、シンバルパッド１０１は、平面視で円形以外の形状、例えば、平面視で扇形に形成されていてもよい。
【００７５】
また、上記第１実施形態においては、叩打センサ１０４は、シンバルパッド１０１のカップ部１０３ｃに対向する位置に配置した。しかし、叩打センサ１０４は、演奏者によるシンバルパッド１０１の叩打を検出することができるように配置されていればよい。したがって、叩打センサ１０４は、例えば、カップ部１０３ｃに代えてまたは加えて、シンバルパッド１０１のボウ部１０３ａおよびエッジ部１０３ｂのうちの少なくとも一方に対向する位置に形成することもできる。また、これらの場合、叩打センサ１０４は、平面視で円板状のほかに、シンバルパッド１０１の周方向に沿った円環状に形成することもできる。
【００７６】
また、上記第１実施形態においては、カップ部１０３ｃは、エッジ部１０３ｂの高さよりも低い高さに形成されている。これにより、電子シンバル１００は、シンバルパッド１０１の輸送や保管のために複数のシンバルパッド１０１を重ねたりシンバルパッド１０１を箱内に収容したりする際に、容積をコンパクト化することができる。しかし、カップ部１０３ｃは、エッジ部１０３ｂの高さと同じまたはそれ以上の高さに形成することもできる。
【符号の説明】
【００７７】
ＳＴ…スティック、Ｓ…ショルダー部、Ｃ…チップ部、
１００，２００，３００…電子シンバル、
１０１…シンバルパッド、１０２…ベース体、１０２ａ…貫通取付部、１０２ｂ…平面環状部、１０２ｃ…湾曲部、１０３…パッド、１０３ａ…ボウ部、１０３ｂ…エッジ部、１０３ｃ…カップ部、１０３ｄ…突起、１０４…叩打センサ、１０５…フォーン端子、１０６…シンバルパッド取付具、１０６ａ…保持部、１０６ｂ…連結部、
１１０…スタンド、１１１…貫通部、１１２…支持スリーブ、１１２ａ…受けフランジ部、１１３…締付ナット、１１４ａ，１１４ｂ…押圧具、１１５…下面カバー、
１２０…シンバルパッド、１２１…平面外縁部、１２２…ベース体、１２３…平面支持部、１２４…パッド、１２４ａ…エッジ部、
１３０…シンバルパッド、１３１…凸状錐面外縁部、１３２…ベース体、１３３…錐面支持部、１３４…パッド、１３４ａ…エッジ部、１３５…叩打センサ、１３５ａ…切欠き部、１３６ａ，１３６ｂ…押圧突起、１３７…中間突起、１３８…屈曲部、１３９…屈曲部、１４０…叩打センサ。
【図１】
2019113824.tif 000003
【図２】
2019113824.tif 000004
【図３】
2019113824.tif 000005
【図４】
2019113824.tif 000006
【図５】
2019113824.tif 000007
【図６】
2019113824.tif 000008
【図７】
2019113824.tif 000009
【図８】
2019113824.tif 000010